(57)【特許請求の範囲】
【請求項１】
スクリーンを含む端末の表示方法において、
前記スクリーンの第１領域上に第１ユーザ機能を表示し、前記スクリーンの第２領域上に第２ユーザ機能を表示する段階と、
第３ユーザ機能に対応するアイコンを選択するユーザ入力を受信する段階と、
前記ユーザ入力に応答し、前記第１ユーザ機能に変えて前記第１領域上に前記第３ユーザ機能を表示する、または、前記第２ユーザ機能に変えて前記第２領域上に前記第３ユーザ機能を表示する段階と、を有し、
前記アイコンは、前記スクリーン上に表示されたメニューに含まれ、
前記ユーザ入力を受信する段階は、メニューに含まれたアイコンに対するドラッグ入力を感知する段階を有し、
前記第３ユーザ機能を表示する段階は、
前記第１または第２領域上に前記ドラッグ入力をリリースすることに応答し、前記ドラッグ入力がリリースされる地点に対応する領域に前記第３ユーザ機能を表示する段階を有することを特徴とする端末の表示方法。
【請求項２】
前記第１及び第２ユーザ機能を表示する段階は、
前記第１及び第２ユーザ機能に対応するアイコンを選択するユーザ入力に応答し、前記第１及び第２ユーザ機能を表示する段階を有し、
前記アイコンは、前記スクリーン上に表示された前記メニューに含まれることを特徴とする請求項１に記載の端末の表示方法。
【請求項３】
前記第１及び第２ユーザ機能を表示する段階は、
前記第１ユーザ機能を選択するユーザ入力を感知すれば、前記感知に応答し、前記スクリーン上に前記第１ユーザ機能を表示する段階と、
前記第１ユーザ機能を表示する間、前記第２ユーザ機能を選択するユーザ入力を感知すれば、前記感知に応答し、前記第１ユーザ機能を前記第１領域に表示し、前記第２ユーザ機能を前記第２領域に表示する段階と、
を有することを特徴とする請求項１に記載の端末の表示方法。
【請求項４】
前記第１及び第２ユーザ機能を表示する段階は、
前記第１及び第２領域と共に前記メニューを表示する段階を有することを特徴とする請求項１に記載の端末の表示方法。
【請求項５】
スクリーンを含む端末の表示方法において、
前記スクリーンの第１領域上に第１ユーザ機能を表示し、前記スクリーンの第２領域上に第２ユーザ機能を表示する段階と、
第３ユーザ機能に対応するアイコンを選択するユーザ入力を受信する段階と、
前記ユーザ入力に応答し、前記第１ユーザ機能に変えて前記第１領域上に前記第３ユーザ機能を表示する、または、前記第２ユーザ機能に変えて前記第２領域上に前記第３ユーザ機能を表示する段階と、を有し、
前記アイコンは、前記スクリーン上に表示されたメニューに含まれ、
前記第３ユーザ機能を表示する段階は、
前記第１及び第２ユーザ機能のうち、相対的に長く表示されたユーザ機能を確認する段階と、
前記確認されたユーザ機能に変えて、前記確認されたユーザ機能に対応する領域上に前記第３ユーザ機能を表示する段階と、
を有することを特徴とする端末の表示方法。
【請求項６】
ユーザから入力を受信する入力部と、
スクリーンを表示する表示部と、
前記スクリーンの第１領域上に第１ユーザ機能を表示し、前記スクリーンの第２領域上に第２ユーザ機能を表示するように制御し、第３ユーザ機能に対応するアイコンを選択するユーザ入力を受信するように制御し、前記ユーザ入力に応答し、前記第１ユーザ機能に変えて前記第１領域上に前記第３ユーザ機能を表示する、または、前記第２ユーザ機能に変えて前記第２領域上に前記第３ユーザ機能を表示するように制御する制御部と、を有し、
前記アイコンは、前記スクリーン上に表示されたメニューに含まれ、
前記制御部は、メニューに含まれたアイコンに対するドラッグ入力を感知するように制御し、
前記制御部は、
前記第１または第２領域上に前記ドラッグ入力をリリースすることに応答し、前記ドラッグ入力がリリースされる地点に対応する領域に前記第３ユーザ機能を表示するように制御することを特徴とする端末。
【請求項７】
前記制御部は、
前記第１及び第２ユーザ機能に対応するアイコンを選択するユーザ入力に応答し、前記第１及び第２ユーザ機能を表示するように制御し、
前記アイコンは、前記スクリーン上に表示された前記メニューに含まれることを特徴とする請求項６に記載の端末。
【請求項８】
前記制御部は、
前記第１ユーザ機能を選択するユーザ入力を感知すれば、前記感知に応答し、前記スクリーン上に前記第１ユーザ機能を表示し、前記第１ユーザ機能を表示する間、前記第２ユーザ機能を選択するユーザ入力を感知すれば、前記感知に応答し、前記第１ユーザ機能を前記第１領域に表示し、前記第２ユーザ機能を前記第２領域に表示するように制御することを特徴とする請求項６に記載の端末。
【請求項９】
前記制御部は、
前記第１及び第２領域と共に前記メニューを表示するように制御することを特徴とする請求項６に記載の端末。
【請求項１０】
ユーザから入力を受信する入力部と、
スクリーンを表示する表示部と、
前記スクリーンの第１領域上に第１ユーザ機能を表示し、前記スクリーンの第２領域上に第２ユーザ機能を表示するように制御し、第３ユーザ機能に対応するアイコンを選択するユーザ入力を受信するように制御し、前記ユーザ入力に応答し、前記第１ユーザ機能に変えて前記第１領域上に前記第３ユーザ機能を表示する、または、前記第２ユーザ機能に変えて前記第２領域上に前記第３ユーザ機能を表示するように制御する制御部と、を有し、
前記アイコンは、前記スクリーン上に表示されたメニューに含まれ、
前記制御部は、
前記第１及び第２ユーザ機能のうち、相対的に長く表示されたユーザ機能を確認し、前記確認されたユーザ機能に代替し、前記確認されたユーザ機能に対応する領域上に前記第３ユーザ機能を表示するように制御することを特徴とする端末。
【発明の詳細な説明】
【技術分野】
【０００１】
本発明は、端末及びその表示方法に係り、より詳しくは、画面を個々の分割画面領域に分割し、個々に分割された画面領域においてユーザ機能を同時に与えることができる、端末及びその表示方法に関する。
【背景技術】
【０００２】
端末、特に携帯端末は、移動性を基に多様なユーザ機能を支援する端末であり、その利用の利便性と携帯の容易性などに起因して非常に幅広い分野において用いられている。このような携帯端末は、ユーザ機能を支援するために、多様な入力方式を提供している。例えば、従来の携帯端末は、携帯端末の一側に機構的に配置されたキーパッドなどを通じて一定の文字や数字を入力することができるようにする。また、携帯端末は、携帯性のためにその大きさが制限されるが、このような小型の携帯端末において適切な表示部の大きさを確保するために、キーパッドを除去して表示部にタッチパネルを配置するタッチスクリーンを有するようになり、これに伴い、携帯端末の表示部の大きさが拡大された。これにより、拡大された表示部の大きさを活かして多様な携帯端末の機能を利用するための運用方法の開発が切実に要求されている。
【発明の概要】
【発明が解決しようとする課題】
【０００３】
本発明は、上記従来技術に鑑みてなされたものであって、本発明の目的は、画面を複数の分割画面領域に分割し、利用状況に応じて個々に分割された画面領域の各々においてユーザ機能を同時に与えることができる画面を有する端末及びその表示方法を提供することにある。
【課題を解決するための手段】
【０００４】
上記目的を達成するためになされた本発明の一態様によるスクリーンを含む端末の表示方法は、前記スクリーンの第１領域上に第１ユーザ機能を表示し、前記スクリーンの第２領域上に第２ユーザ機能を表示する段階と、第３ユーザ機能に対応するアイコンを選択するユーザ入力を受信する段階と、前記ユーザ入力に応答し、前記第１ユーザ機能に代替して前記第１領域上に前記第３ユーザ機能を表示する、または、前記第２ユーザ機能に代替して前記第２領域上に前記第３ユーザ機能を表示する段階と、を有し、前記アイコンは、前記スクリーン上に表示されたメニューに含まれることを特徴とする。
【０００５】
上記目的を達成するためになされた本発明の一態様による端末は、ユーザから入力を受信する入力部と、スクリーンを表示する表示部と、前記スクリーンの第１領域上に第１ユーザ機能を表示し、前記スクリーンの第２領域上に第２ユーザ機能を表示するように制御し、第３ユーザ機能に対応するアイコンを選択するユーザ入力を受信するように制御し、前記ユーザ入力に応答し、前記第１ユーザ機能に代替して前記第１領域上に前記第３ユーザ機能を表示する、または、前記第２ユーザ機能に代替して前記第２領域上に前記第３ユーザ機能を表示するように制御する制御部と、を有し、前記アイコンは、前記スクリーン上に表示されたメニューに含まれることを特徴とする。
【発明の効果】
【０００６】
本発明の端末及びその表示方法によれば、ユーザは、多様な端末におけるユーザ機能の運用中に自動で又はユーザの要求によって支援される分割画面の出力を基にしてユーザ機能を更に容易に且つ便利に運用することができる。
【図面の簡単な説明】
【０００７】
【図１】本発明の一実施形態による携帯端末の外観を概略的に示す図である。
【図２】図１に示す携帯端末の一例によるブロック図である。
【図３】本発明の一実施形態による複数の分割画面領域におけるユーザ機能を説明するための図である。
【図４】本発明の一実施形態による分割及び結合を示す図である。
【図５】本発明の一実施形態による分割及び結合を示す図である。
【図６】本発明の一実施形態による分割及び結合を示す図である。
【図７】本発明の一実施形態による分割及び結合を示す図である。
【図８】本発明の一実施形態による分割及び結合を示す図である。
【図９】本発明の一実施形態によるユーザ機能に伴う画面間の移動を示す図である。
【図１０】本発明の一実施形態によるユーザ機能に伴う画面間の移動を示す図である。
【図１１】本発明の一実施形態によるユーザ機能に伴う画面間の移動を示す図である。
【図１２】本発明の一実施形態によるユーザ機能に伴う画面間の移動を示す図である。
【図１３】本発明の一実施形態によるユーザインターフェースの第１実施例を説明するための画面を示す図である。
【図１４】本発明の一実施形態によるユーザインターフェースの第２実施例を説明するための画面を示す図である。
【図１５】本発明の一実施形態によるユーザインターフェースの第２実施例を説明するための画面を示す図である。
【図１６】本発明の一実施形態によるユーザインターフェースの第２実施例を説明するための画面を示す図である。
【図１７】本発明の一実施形態によるユーザインターフェースの第３実施例を説明するための画面を示す図である。
【図１８】本発明の一実施形態によるユーザインターフェースの第４実施例を説明するための画面を示す図である。
【図１９】本発明の一実施形態によるユーザインターフェースの第５実施例を説明するための画面を示す図である。
【図２０】本発明の一実施形態によるユーザインターフェースの第５実施例を説明するための画面を示す図である。
【図２１】本発明の一実施形態によるユーザインターフェースの第６実施例を説明するための画面を示す図である。
【図２２】本発明の一実施形態によるユーザインターフェースの第７実施例を説明するための画面を示す図である。
【発明を実施するための形態】
【０００８】
以下、本発明を実施するための形態の具体例を、図面を参照しながら詳しく説明する。
下記の説明では、本発明の実施形態による動作を理解するのに必要な部分だけを説明し、その他の部分の説明は、本発明の要旨を不明瞭にしないように省略することに留意しなければならない。
【０００９】
以下で説明する本明細書及び請求の範囲に使用する用語や単語は、通常的又は辞書的な意味に限定して解釈すべきものではなく、発明者は、その発明を最善の方法で説明するための用語の概念として適切に定義することができるという原則に即して本発明の技術的思想に符合する意味と概念として解釈すべきものである。従って、本明細書に記載した実施形態と図面に示した構成は、本発明の最も好ましい実施形態に過ぎず、本発明の技術的思想を全て代弁するものではないので、本発明は、これらを代替することができる多様な均等物と変形例があり得ることを理解しなければならない。
【００１０】
図１は、本発明の一実施形態による携帯端末の外観を概略的に示す図であり、図２は、図１に示す携帯端末の一例によるブロック図である。
【００１１】
図１及び図２を参照すると、本実施形態の携帯端末１００は、無線周波数部１１０、入力部１２０、オーディオ処理部１３０、タッチスクリーン１４０、格納部１５０、及び制御部１６０の構成を含む。説明に先立って、図１で、本実施形態による携帯端末１００をスライドタイプで示したが、本発明はこれに限定されるものではない。例えば、携帯端末１００は、上部スライドボディー及び下部スライドボディーのうち、入力部１２０を含む下部スライドボディーを省略し、上部スライドボディーだけで構成することができるバー（Ｂａｒ）タイプの携帯端末１００に製作することもできる。バータイップで製作される携帯端末１００は、別途のキーボタンを含む入力部１２０は除去され、タッチスクリーン１４０にキーマップなどを出力し、入力部１２０の機能を担うことができる。
【００１２】
このような構成を有する携帯端末１００は、ユーザの要求によって格納部１５０に格納された画面領域運用プログラムを活性化し、必要に応じて画面を分割画面領域に分割した後、個々の分割画面領域に活性化されたユーザ機能に対応する機能画面領域を出力する。
そして、携帯端末１００は、各機能画面領域間の情報交換及び交換された情報を用いて後の機能実行を支援することができる。以下、携帯端末１００の各構成について更に詳しく説明する。
【００１３】
無線周波数部１１０は、音声通話のための通信チャネルの形成、及び映像や画像を伝送するか又はデータを伝送するための通信チャネル形成などを制御部１６０の制御の下に行う。即ち、無線周波数部１１０は、音声通話チャネル、データ通信チャネル、及び画像通話チャネルなどを移動通信システムの間に形成する。このために、無線周波数部１１０は、伝送される信号の周波数を上昇変換（ｕｐｃｏｎｖｅｒｔｉｎｇ）及び増幅する無線周波数送信部と、受信した信号の周波数を低雑音増幅及び下降変換（ｄｏｗｎｃｏｎｖｅｒｔｉｎｇ）する無線周波数受信部などを含むことができる。無線周波数部１１０を運用するために、携帯端末１００は、多様な情報、例えばフォンブック情報などを表示部１４１に表示することができる。このような無線周波数部１１０の構成は、携帯端末１００が移
動通信機能を支援する場合に含まれる構成であって、携帯端末１００が移動通信機能を支援しない場合に省略することができる。本実施形態の携帯端末１００は、無線周波数部１１０の機能に対応する画面を、分割された画面のうちのいずれか１つの画面上に表示することができる。例えば、携帯端末１００は、無線周波数部１１０の活性化を要請する信号、例えば、通話呼び出し機能や通話受信機能に対応する信号を受信すると、表示部１４１の画面を分割し、分割された画面のうちの一画面にユーザ機能による機能画面を出力する一方、残りの一画面に無線周波数部１１０の運用による機能画面を出力することができる。
【００１４】
入力部１２０は、数字又は文字情報が入力され、各種機能を設定するための多数の入力キー及び機能キーを含む。機能キーは、特定の機能を行うように設定された方向キー、サイドキー、及びショートカットキーなどを含むことができる。特に本実施形態の入力部１２０は、図示するように、表示部１４１と隣接した領域に設けられたタッチパッド１２１と、表示部１４１を含むタッチスクリーン１４０が配置された上部スライドボディーに密着してスライディングする下部スライドボディーに形成されたキーボタン１２３を含むことができる。タッチパッド１２１は、図示するように、タッチスクリーン１４０の一側に一定の距離だけ離隔して一側と並設することができ、ユーザのタッチによる入力信号を生成し、これを制御部１６０に伝達することができる。キーボタン１２３は、下部スライド
ボディーの前面に配置され、多様なボタンを含むことができる。ここで、キーボタン１２３の形態は、図示したキーボードタイプの文字のキーだけでなく、設計者の意図によって更に多様な形態で製作することができる。また、キーボタン１２３は、メタルキーパッド方式に変更することもできる。
【００１５】
オーディオ処理部１３０は、通話時に送受信されるオーディオデータ、受信したメッセージに含まれるオーディオデータ、及び格納部１５０に格納されたオーディオファイル再生によるオーディオデータなどを出力するためのスピーカーＳＰＫと、通話時にユーザの音声又はその他のオーディオ信号を収集するためのマイクＭＩＣを含む。このようなオーディオ処理部１３０は、携帯端末１００の表示部１４１の画面が分割された場合、それに対応する効果音、分割された画面に表示される機能画面の運用によるオーディオデータを出力することができる。ここで、分割された画面に表示される機能画面がいずれもオーディオデータを含む場合、オーディオ処理部１３０は、ユーザ設定やユーザ選択によって特定機能画面の運用時に発生するオーディオデータを出力することができる。また、オーデ
ィオ処理部１３０は、ユーザ選択によって機能画面の運用時に発生したオーディオデータの全てを出力することもできる。分割画面の構成時に提供される効果音は、ユーザ設定によって除去することもできる。
【００１６】
タッチスクリーン１４０は、表示部１４１とタッチパネル１４３を含む。このようなタッチスクリーン１４０は、表示部１４１の前面にタッチパネル１４３が配置された構造を有することができる。タッチスクリーン１４０の大きさは、タッチパネル１４３の大きさに決定することができる。例えば、タッチスクリーン１４０は、表示部１４１の前面を覆うように形成されるフルスクリーン形態で提供することができる。
【００１７】
表示部１４１は、携帯端末１００の各種メニューを含めてユーザが入力した情報又はユーザに提供する情報などを表示する。即ち、表示部１４１は、携帯端末１００の利用による多様な画面、例えば待機画面、メニュー画面、メッセージ作成画面、通話画面などを提供する。このような表示部１４１は、液晶表示装置（Ｌｉｑｕｉｄ  Ｃｒｙｓｔａｌ  Ｄｉｓｐｌａｙ）、ＯＬＥＤ（Ｏｒｇａｎｉｃ  Ｌｉｇｈｔ  Ｅｍｉｔｔｅｄ  Ｄｉｏｄｅ）などで形成することができる。そして、表示部１４１は、上述したように、上部に配置されたタッチパネル１４３と一緒にタッチスクリーン１４０の形態で製作された場合、入力部１２０としての機能を行うことができる。特に、表示部１４１は、制御部１６０の制御によって画面を分割し、分割された画面に各ユーザ機能に対応する機能画面を出力することができる。機能画面の出力については後述する図面を参照して更に詳しく説明する。
【００１８】
タッチパネル１４３は、表示部１４１の上層に配置され、表示部１４１に表示される特定イメージや、特定項目をユーザが指示するために一定領域をタッチした場合、それに対応するタッチイベントを生成する。例えば、タッチパネル１４３は、表示部１４１に表示された楽器イメージの有効タッチ領域をセッティングし、当該有効タッチ領域でタッチイベントが発生した場合、これを制御部１６０に伝達する。機能画面に対するタッチパネル１４３の有効タッチ領域のセッティングは、ユーザ機能によってそれぞれ変わり得る。
【００１９】
格納部１５０は、本発明による機能動作に必要な応用プログラムを含めて、携帯端末１００がタッチスクリーン１４０で形成される場合、タッチスクリーン１４０の運用のためのキーマップを含むことができる。キーマップは、キーマップ、メニューマップ、ソフトキーマップなどを含むことができる。ここで、キーマップ及びメニューマップは、それぞれ多様な形態よりなることができる。即ち、キーマップは、キーボードマップ、３×４キーマップ、ＱＷＥＲＴＹキーマップなどを使用することができ、現在活性化されている応用プログラムの運用制御のための制御キーマップを使用することもできる。また、メニューマップは、現在活性化されている応用プログラムの運用制御のためのメニューマップを
使用することもでき、携帯端末１００が提供する多様なメニューをリストとして有するメニューマップを使用することもできる。このような格納部１５０は、大きくプログラム領域とデータ領域を含むことができる。
【００２０】
プログラム領域は、携帯端末１００の起動及び上述した各構成の運用のためのＯＳ（Ｏｐｅｒａｔｉｎｇ  Ｓｙｓｔｅｍ）、多様なファイルを再生するための応用プログラム、通話機能のための応用プログラム、インターネットサーバーに接続するためのＷｅｂブラウザ、その他音源を再生するためのＭＰ３応用プログラム、写真などを再生するためのイメージ出力のための応用プログラム、動画再生のための応用プログラムなどを格納することができる。特に、格納部１５０は、分割画面運用プログラムを含む。
【００２１】
分割画面運用プログラムは、特定ユーザ機能の活性化によって制御部１６０にロードすることができる。このような分割画面運用プログラムは、ユーザ機能の実行によって分割画面が必要な場合に表示部１４１の画面を分割し、分割された表示部１４１の領域上にそれぞれの機能画面を出力するように制御する。このために、分割画面運用プログラムは、ユーザ機能の運用中に発生する入力信号検出ルーチン、検出された入力信号が既定の画面分割要件に対応する入力信号であるか否かを判断するルーチン、入力信号が既定の画面分割要件である場合に画面を分割するルーチンを含むことができる。また、分割画面運用プログラムは、ユーザ機能による機能画面及び入力信号による機能画面を、分割された表示部１４１の領域上にそれぞれ出力する出力ルーチン、分割画面が表示された状態で、各機
能画面間の情報交換による挿入、設定、検索、コピー、移動、実行に対応する機能を遂行する機能ルーチンを含むことができる。ここで、出力ルーチンは、以前に出力されたユーザ機能による機能画面を、分割された画面に合うようにリサイジングするサブルーチンと、入力信号による機能画面を、分割された表示部１４１の領域に合うように調整するサブルーチンを含むことができる。機能ルーチンについては、後述する図面を参照して更に詳しく説明する。
【００２２】
データ領域は、携帯端末１００の使用によって発生するデータが格納される領域であり、フォンブック情報、ウィジェット（ｗｉｄｇｅｔ）機能による少なくとも１つのアイコン及び多様なコンテンツを格納することができる。また、データ領域は、表示部１４１がタッチスクリーン１４０に含まれるように製作された場合、タッチスクリーン１４０を通じて入力されたユーザ入力を格納することができる。特に、本発明のデータ領域は、ユーザ機能に対応する画面情報、特定入力信号の発生によって画面が分割された場合、分割された各機能画面に対する画面情報を臨時に格納することができる。
【００２３】
制御部１６０は、携帯端末１００の各構成部への電源供給を制御して初期化を行い、初期化が完了すると、各構成部に対して分割画面の運用のためのユーザインターフェースの提供及び要求された機能の実行を制御する。特に、本実施形態の制御部１６０は、活性化されたユーザ機能の特性によって表示部１４１の領域を２個の領域に分割し、分割された各領域に当該ユーザ機能に対応する機能画面を出力するように制御する。
【００２４】
これを、図３を参照して更に詳しく説明すると、制御部１６０は、互いに異なる第１ユーザ機能及び第２ユーザ機能が同時又は時間間隔をもって活性化されると、３０１画面に示したように、表示部１４１の領域を２つの領域に分割し、分割された表示部１４１の各領域に第１ユーザ機能に対応するＡ．Ａｐｐ機能画面及び第２ユーザ機能に対応するＢ．Ａｐｐ機能画面を出力するように制御する。この際、Ａ．Ａｐｐ機能画面及びＢ．Ａｐｐ機能画面は、第１ユーザ機能及び第２ユーザ機能によってそれぞれ異なるイメージやテキストなどを出力することができる。例えば、第１ユーザ機能が音楽再生機能の場合、Ａ．Ａｐｐ機能画面は、音楽再生制御のための制御キーマップ及び再生される音楽ファイルと関連するイメージを出力することができる。また、第２ユーザ機能がメッセージ作成機能の場合、Ｂ．Ａｐｐ機能画面は、メッセージ作成のためのキーマップ及び文字作成のための作成窓（画面領域）を出力することができる。
【００２５】
次に、制御部１６０は、同一のユーザ機能が繰り返されて活性化されると、当該ユーザ機能の活性化によって表示部１４１の領域を２個の領域に分割し、３０２画面に示したように、分割された各領域に当該ユーザ機能に対応する機能画面を出力するように制御する。例えば、先ず、第１ユーザ機能がメッセージ作成機能の場合、制御部１６０は、メッセージ作成機能のための作成窓を表示部１４１の全体領域に表示するか、又は作成窓とキーマップを含む画面を表示部１４１の全体領域に表示するように制御する。その後、入力部１２０などから第２ユーザ機能として更に他のメッセージ作成機能を活性化するための入力信号が発生すると、制御部１６０は、表示部１４１の領域を分割する。そして、制御部１６０は、分割された表示部１４１の各領域に対して先に実行されたメッセージ作成機能に対応するＡ１．Ａｐｐ機能画面を出力するように制御する一方、後で実行されたメッセージ作成機能に対応するＡ２．Ａｐｐ機能画面を出力するように制御する。他の例として、２個のＷｅｂ接続機能を要求するユーザ入力が発生すると、制御部１６０は、機能活性化によって２つのＷｅｂ接続画面に対応するＡ１．Ａｐｐ機能画面及びＡ２．Ａｐｐ機能画面を表示部１４１の分割された領域にそれぞれ出力するように制御することができる。
【００２６】
また、制御部１６０は、互いに連関するユーザ機能が追加されて活性化されると、当該ユーザ機能の活性化によって表示部１４１の領域を分割し、各機能に対応する機能画面を３０３画面に示したように出力するように制御することができる。例えば、ユーザが、先ずメッセージ作成機能を活性化し、その後メッセージ作成機能のためのファイル検索機能を活性化すると、制御部１６０は、表示部１４１の領域をそれぞれ分割し、分割された領域のうちの一領域にＡ．Ａｐｐ機能画面を出力するように制御し、残りの領域にファイル検索機能に対応するＬｉｎｋＡ．Ａｐｐ機能画面を出力するように制御する。これにより、ユーザは、メッセージ作成をＡ．Ａｐｐ機能画面を通じて行いながら、必要なファイル検索及びファイル添付をＬｉｎｋＡ．Ａｐｐ機能画面を通じて行うことができる。
【００２７】
次に、制御部１６０は、既に行われているユーザ機能のサブユーザ機能が活性化されると、サブユーザ機能に対応する機能画面の出力のために表示部１４１領域を分割し、分割された各領域に３０４画面に示したように当該機能画面を出力するように制御する。例えば、受信メッセージの検索に対応するユーザ機能が活性化されると、制御部１６０は、当該機能に対応して表示部１４１の全体に受信メッセージリストを表示するように制御する。その後、ユーザが受信メッセージリストを選択し、確認しようとする入力信号を生成すると、制御部１６０は、受信メッセージの確認に対応するサブユーザ機能を活性化するように制御する。この過程で、制御部１６０は、表示部１４１の領域を２つの領域に分割し、分割された領域のうちの一領域に受信メッセージの検索に対応するＡ．Ａｐｐ機能画面
を出力するように制御し、残りの分割された領域に、選択されたメッセージ出力に対応するＳｕｂＡ．Ａｐｐ機能画面を出力するように制御する。
【００２８】
要約すると、制御部１６０は、表示部１４１の領域をそれぞれ分割し、分割された各領域に、個々のユーザ機能の活性化に対応する機能画面、同一のユーザ機能の重複活性化に対応する機能画面、既に活性化されたユーザ機能と関連するユーザ機能の同時活性化に対応する機能画面、既に活性化されたユーザ機能のサブユーザ機能の活性化に対応する機能画面をそれぞれ分割された画面に出力するように制御する。
【００２９】
以下、本発明の一実施形態による制御部１６０の分割画面領域構成について図４乃至図８を参照して説明する。
【００３０】
図４を参照すると、ユーザは、携帯端末１００の運用のために複数のメニュー項目又はウィジェット項目が含まれた画面を表示するように入力信号を生成することができる。例えば、ユーザが複数のメニュー項目が含まれたメニュー画面を表示するための入力信号を生成すると、携帯端末１００は、４０１画面に示したように、多数のメニュー項目を含むメニュー画面を表示する。この際、携帯端末１００は、分割画面に表示されるように設定されたデュアルメニュー項目を表示することができる。デュアルメニュー項目は、ユーザ設定や設計者の意図によって表示部１４１の全体領域を２つの領域に分割し、分割された領域に２つのメニューに対応する画面を表示するように設定される。デュアルメニュー項目は、設計者が設計時に設定するか、又はユーザが２つのメニュー項目をデュアルメニュー項目として併用する場合に生成することができる。このため、携帯端末１００は、複数のメニューのうちの２つの選択されたメニュー項目を１つのデュアルメニュー項目として組み合わせることができる機能を、特定メニューなどを通じて提供することができる。４０１画面に示したように、携帯端末１００は、シングルメニュー項目として“Ｅ、Ｆ、Ｇ、Ｈ、Ｉ、Ｊ、Ｋ、Ｌ”メニュー項目と、デュアルメニュー項目として“ＡＢ”、“ＣＢ”、“ＣＤ”項目をメニュー画面の一側に出力することができる。
【００３１】
４０１画面で、ユーザが、デュアルメニュー項目、例えば“ＡＢ”メニュー項目を選択すると、携帯端末１００は、デュアルメニュー、即ちＡメニュー及びＢメニューに対応するそれぞれの応用プログラムを活性化する。そして、携帯端末１００は、４０３画面に示したように、活性化されたＡ応用プログラムに対応するＡｐｐ．Ａ機能画面とＢ応用プログラムに対応するＡｐｐ．Ｂ機能画面を分割された表示部１４１の各領域に出力する。このように携帯端末１００は、デュアルメニュー項目の設定機能を提供し、選択されたデュアルメニュー項目によって分割画面を表示することができる。
【００３２】
次に、図５を参照すると、ユーザが“Ｃ”メニューを活性化するか、又は“Ｃ”機能を活性化するための入力信号を生成すると、携帯端末１００は、４１１画面に示したように、“Ｃ”メニュー又は“Ｃ”機能に対応するＡｐｐ．Ｃ機能画面を表示部１４１に出力する。その後、ユーザがＡｐｐ．Ｃ機能画面“Ａ”機能を活性化するための入力信号を生成すると、携帯端末１００は、“Ａ”機能の活性化を行い、“Ａ”機能に対応するＡｐｐ．Ａ機能画面を４１３画面に示したように、表示部１４１に出力する。例えば、ユーザがＷｅｂブラウザを活性化すると、携帯端末１００は、設定されたＷｅｂアドレスを用いてＷｅｂサーバー接続し、Ｗｅｂサーバーから受信したＷｅｂ接続画面を４１１画面に示したように表示する。その後、ユーザがＷｅｂ接続画面のリンクを有する項目を選択する入力信号を生成すると、携帯端末１００は、４１３画面に示したように、リンクされたＷｅｂ接続画面を表示部１４１に表示する。
【００３３】
携帯端末１００は、イベント履歴により関連する２つの情報を同時に提供することができる。例えば、４１３画面で、ユーザが特定キー入力信号又は特定タッチイベントに対応する“Ｈｏｍｅ  ｋｅｙ”のような入力信号を生成すると、携帯端末１００は、４１５画面に示したように、イベント履歴によりＡｐｐ．Ａ機能画面に関連するＡｐｐ．Ｃ機能画面とＡｐｐ．Ａ機能画面とを表示部１４１に同時に出力することができる。この場合、携帯端末１００は、表示部１４１の全体領域を２個の領域に分割し、分割された各領域に当該機能画面を出力する。即ち、携帯端末１００は、分割画面を表示する直前、即ち“Ｈｏｍｅ  ｋｅｙ”が押される直前に実行されたＡｐｐ．Ａ機能画面を分割画面の左側領域に出力するように制御し、“Ａ”機能以前に実行された“Ｃ”機能によるＡｐｐ．Ｃ機能画
面は、分割画面の右側に出力する。また、携帯端末１００は、各機能画面出力の位置を変更することができ、ユーザのタッチイベント、例えばドラッグイベント入力時に機能画面の位置を変更することができる。分割画面が出力されている状態で、再び“Ｈｏｍｅ  Ｋｅｙ”が押されると、携帯端末１００は、以前の画面、即ち４１３画面に戻る。上述したように、携帯端末１００は、イベント履歴を通じて２つの機能画面が互いに関連する場合、２つの機能画面を分割画面に同時に出力することができる。
【００３４】
次に、図６を参照すると、ユーザが“Ａ”機能を活性化するための入力信号を生成すると、携帯端末１００は、４２１画面に示したように、“Ａ”機能に対応するＡｐｐ．Ａ機能画面を表示部１４１に表示する。その後、ユーザが４２１画面で“Ａ”機能のサブ機能（Ｓｕｂ  ｔａｓｋ）を活性化するための入力信号を生成すると、携帯端末１００は、“Ａ”機能のサブ機能に該当するＡ＿Ｓｕｂ応用プログラムを活性化し、サブ機能の実行以前に行われた“Ａ”機能によって出力されたＡｐｐ．Ａ機能画面に対応するＡ＿Ｍａｉｎ機能画面を生成した後、これを４２３画面に示したように、表示部１４１の分割画面の一側に出力し、Ａ＿Ｓｕｂ応用プログラムの活性化によるＡ＿Ｓｕｂ機能画面を分割画面の他の側に出力する。ここで、携帯端末１００は、４２１画面のＡｐｐ．Ａ機能画面に対し
て分割画面領域に合うように大きさをリサイジングするか、又はＡｐｐ．Ａ機能画面に出力された特定の画面要素を除去することによって、４２３画面のＡ＿Ｍａｉｎ機能画面を生成することができる。この際、携帯端末１００は、ユーザ設定や設計者の意図によってＡ＿Ｍａｉｎ機能画面及びＡ＿Ｓｕｂ機能画面が分割画面に出力される位置を固定することができ、設定によって出力される位置を変更するか、又はランダムに出力することができる。
【００３５】
一方、Ａ＿Ｓｕｂ応用プログラムが終了するか又は特定のプログラムが終了すると、即ちユーザが生成した入力信号によって当該Ａ＿Ｓｕｂ応用プログラムが終了すると、携帯端末１００は、４２５画面に示したように、Ａ＿Ｓｕｂ機能が適用されたＡｐｐ．Ａ−１機能画面を表示部１４１の全体に出力することができる。
【００３６】
図６の場合を例に説明すると、ユーザがメッセージ作成プログラムを活性化するための入力信号を生成すると、携帯端末１００は、それに対応するメッセージ作成窓を、４２１画面に示したように、Ａｐｐ．Ａ機能画面として表示部１４１に表示する。その後、ユーザがメッセージに添付するイメージファイルの検索を要求する入力信号を生成すると、携帯端末１００は、イメージファイルの検索機能に対応する画面をＡ＿Ｓｕｂ機能画面として４２３画面に示したように出力する。この際、携帯端末１００は、Ａｐｐ．Ａ機能画面に対応するメッセージ作成窓を分割画面の大きさに合うようにリサイジングするか、又は属性を変更した後、４２３画面に示したように、Ａ＿Ｍａｉｎ機能画面として表示部１４１に出力する。その後、ユーザがＡ＿Ｍａｉｎ機能画面に適用すると、携帯端末１００は、４２５画面に示したように、イメージファイルの添付機能が適用されたＡｐｐ．Ａ−１機能画面を表示部１４１の全体に出力する。ここで、携帯端末１００は、ユーザが別途のイメージファイルの検索を終了する入力信号を生成すると、４２１画面に戻ることができる。上述したように、携帯端末１００は、特定機能と特定機能のサブ機能の活性化によって当該機能に対応する機能画面を、分割された画面に出力することができる。
【００３７】
次に、図７を参照すると、ユーザは、携帯端末１００の特定機能、例えば、“Ａ”機能を活性化するための入力信号を生成することができる。すると、携帯端末１００は、４３１画面に示したように、“Ａ”機能に対応するＡｐｐ．Ａ機能画面を表示部１４１に出力する。このような状態で、携帯端末１００は、既定のスケジュール又は特定イベントによるイベント機能を活性化することができる。すると、携帯端末１００は、イベント機能に対応する応用プログラムを活性化し、それに対応する画面を表示部１４１に出力する。この際、携帯端末１００は、以前に表示部１４１に出力されたＡｐｐ．Ａ機能画面を、分割された画面の一側に出力するように制御し、新たに活性化されたイベント機能に対応するＥｖｅｎｔ機能画面を残りの分割された画面の一側に出力することができる。
【００３８】
例示して説明すると、ユーザは、動画再生に対応する“Ａ”機能を活性化し、それによって動画再生表示に対応するＡｐｐ．Ａ機能画面を４３１画面に示したように、表示部１４１全体に出力して視聴することができる。この状態で、外部から通話呼受信が発生すると、携帯端末１００は、通話呼受信による受信アラーム機能を活性化し、Ｅｖｅｎｔ機能画面として受信アラーム機能に対応する通話呼受信画面を表示部１４１に出力する。この際、携帯端末１００は、４３３画面に示したように、動画再生表示に対応するＡｐｐ．Ａ機能画面と通話呼受信画面に対応するＥｖｅｎｔ機能画面をそれぞれ分割された画面に区分して出力することができる。
【００３９】
上述したように、携帯端末１００は、通話呼受信に対応する入力信号が発生すると、通話呼受信イベントに対応する機能画面を表示部１４１に出力することができる。この際、携帯端末１００は、通話呼受信イベントの場合、ユーザが携帯端末１００を把持して顔に隣接した領域に移動させることによって、動画再生表示機能を自動で一時中止させた後、表示部１４１に供給される電源のみを遮断することによって、電源節約を行うことができる。その後、携帯端末１００は、通話呼終了時、４３１画面に戻る。
【００４０】
一方、Ｅｖｅｎｔ機能がスケジュールアラーム機能の場合、Ｅｖｅｎｔ機能によるアラームメッセージを、４３３画面に示したように、左側分割領域に出力することができる。この際、メッセージアラーム機能は、動画再生表示機能と関連する部分ではないので、動画再生表示機能による機能画面出力が維持されるように設定することができる。このような設定は、設計者の意図によって携帯端末１００製作時に設計することができ、ユーザ設定によって動画再生表示機能の機能画面の維持及び一時停止などを変更することができる。このように携帯端末１００は、特定機能の活性化による機能画面が全体画面に出力されている状態で、内部又は外部システムインタラプトによるイベント発生時に、機能画面とイベント画面を、分割された画面に出力することができる。
【００４１】
次に、図８を参照すると、ユーザは、携帯端末１００の特定機能、例えばリスト機能を活性化するための入力信号を生成することができる。すると、携帯端末１００は、４４１画面に示したように、リスト機能に対応するＬｉｓｔ  Ａ機能画面を表示部１４１に出力する。この際、携帯端末１００は、画面分割に、例えば、“Ｓｐｌｉｔｔｅｒ”アイコンを画面の一側に出力することができる。そして、ユーザがＳｐｌｉｔｔｅｒアイコンをタッチすると、４４３画面に示したように、携帯端末１００は、リスト項目の詳細表示（Ｖｉｅｗ  Ｌｉｓｔ’ｓ  ｉｔｅｍ）画面を出力する。即ち携帯端末１００は、画面分割を行い、大きさが調節されたＬｉｓｔ  Ａ機能画面を表示部１４１の分割された画面の一側に出力し、Ｌｉｓｔ  Ａ機能画面に出力された特定項目が選択されるか、又はデフォルトとして選択されると、選択された項目の詳細表示機能画面を表示部１４１にＬｉｓｔ  Ａ機能画面と共に出力する。ここで、携帯端末１００は、４４５画面及び４４７画面に示したように、縦状態での画面分割を行なうこともできる。
【００４２】
一方、４４３画面及び４４７画面に示したように、携帯端末１００は、４４１画面及び４４５画面への復帰のために、例えば“Ｍｅｒｇｅ”アイコンを表示部１４１の一側に出力することができる。ユーザが“Ｍｅｒｇｅ”アイコンを選択すると、携帯端末１００は、以前の画面へ復帰、或いは４４１画面又は４４５画面へ復帰する。
【００４３】
以上では、本発明の一実施形態による分割画面領域構成について図４乃至図８を参照して説明した。次に、分割画面領域間の機能画面領域の移動について説明する。
【００４４】
図９乃至図１２は、本発明の一実施形態によるユーザ機能に伴う分割画面領域間の移動を示す図である。
【００４５】
図９を参照すると、ユーザがファイル検索機能を活性化すると、携帯端末１００は、ファイル検索機能の活性化によって特定ファイルを検索することができる画面を表示部１４１に表示する。この過程で、携帯端末１００は、ユーザが分割画面を基にファイル検索機能を活性化すると、５０１画面に示したように画面を分割し、分割された各画面に特定ファイルに対応する機能画面を出力する。例えば、携帯端末１００は、上述のように、デュアルメニュー項目を出力することができ、ユーザは、デュアルメニュー項目を選択するための入力信号を生成することができる。すると、携帯端末１００は、５０１画面に示したように、分割画面に各機能画面を出力する。また、携帯端末１００は、図４で説明したような機能活性化が行われると、それによる分割画面出力を行う。この際、携帯端末１００
は、表示部１４１の全体領域を２個の領域に分割し、選択されたファイルに対応する機能画面、即ちＡ．Ａｐｐ機能画面とＢ．Ａｐｐ機能画面を、各分割された領域に出力する。そして、携帯端末１００は、各機能画面の一定領域にオーバーラップして、他のファイルを検索することができるようにする検索窓を表示部１４１の一側に出力する。検索窓は、機能画面が表示部１４１に出力された状態で既定のタッチイベントが発生すると、それによって出力され、一定の時間が経過すると、検索窓は、表示部１４１から除去することもできる。また、携帯端末１００は、表示部１４１の全体領域を３個の領域に分割し、分割された各領域にＡ．Ａｐｐ機能画面とＢ．Ａｐｐ機能画面及び検索窓を出力することができる。検索窓は、図示したように、現在の表示部１４１に出力されている機能画面に対応するアイコンと、他のファイルに対応するアイコンを表示することができる。この際、検索窓に表示されるアイコンのうち、表示部１４１に出力された機能画面に対応するアイコンをハイライトし、現在どのファイルが選択されて表示されているかを指示することができる。
【００４６】
一方、５０１画面で、ユーザが、他のファイルに対応するアイコン、例えばＡｐｐ．Ｃアイコンを選択するための入力信号を生成すると、携帯端末１００は、５０３画面に示したように、Ａｐｐ．Ｃアイコンに対応するＣ．Ａｐｐ機能画面を表示部１４１に出力する。この際、携帯端末１００は、Ａ．Ａｐｐ機能画面を除去し、Ａ．Ａｐｐ機能画面が出力された領域にＣ．Ａｐｐ機能画面を出力する。この過程で、携帯端末１００は、表示部１４１に出力された機能画面のうち、相対的に時間が経った機能画面を除去し、新たに選択された機能画面を出力することができる。
【００４７】
上述したように、携帯端末１００は、機能画面の移動のために別途の検索窓を出力し、検索窓で選択された特定アイコンに対応する機能画面を、以前に出力された機能画面のうちのいずれか１つと置換するようにして、機能画面を移動することができる。
【００４８】
一方、ユーザは、検索窓でファイル選択時に、図１０のような入力信号を生成することができる。これを更に詳しく説明すると、検索窓でＡｐｐ．ＡアイコンとＡｐｐ．Ｂアイコンが選択されて、５１１画面に示したように、Ａ．Ａｐｐ機能画面とＢ．Ａｐｐ機能画面が出力されている状態で、ユーザは、Ａｐｐ．Ｃアイコンを選択した後、ドラッグし、Ａ．Ａｐｐ機能画面が出力された位置にＡｐｐ．Ｃアイコンを移動させるタッチイベントを生成することができる。また、ユーザは、Ａｐｐ．Ｆアイコンを選択した後、ドラッグし、Ｂ．Ａｐｐ機能画面が出力された位置にＡｐｐ．Ｆアイコンを移動させるタッチイベントを生成することができる。
【００４９】
すると、携帯端末１００は、５１３画面に示したように、Ａ．Ａｐｐ機能画面が出力された表示部１４１の位置にＡｐｐ．Ｃアイコンに対応するＣ．Ａｐｐ機能画面を出力し、Ｂ．Ａｐｐ機能画面が出力された表示部１４１の位置にＡｐｐ．Ｆアイコンに対応するＦ．Ａｐｐ機能画面を出力する。
【００５０】
このように、携帯端末１００は、検索窓に表示されたアイコンをユーザが直接選択した後、所望の位置に移動させると、それに対応する位置に当該機能画面を出力することができる。
【００５１】
次に、図１１を参照すると、ユーザが図４で説明したような機能運用のための入力信号を生成すると、携帯端末１００は、５２１画面に示したように、選択された機能に対応する画面、即ちＡｐｐ．Ａ機能画面とＡｐｐ．Ｂ機能画面を表示部１４１に画面を分割して出力する。
【００５２】
この状態で、ユーザは、携帯端末１００に設けられた“Ｈｏｍｅ  ｋｅｙ”を活性化することができる。すると、携帯端末１００は、５２３画面に示したように、Ａｐｐ．Ａ機能画面とＡｐｐ．Ｂ機能画面の大きさをリサイジングし、表示部１４１の一定領域にそれぞれ配置させ、“Ｈｏｍｅ  ｋｅｙ”入力に対応するメニュー画面を表示部１４１に出力する。即ち、携帯端末１００は、Ａｐｐ．Ａ機能画面をリサイジングしたＡ機能画面を表示部１４１の左側の所定領域に出力し、Ａｐｐ．Ｂ機能画面をリサイジングしたＢ機能画面を表示部１４１の右側の所定領域に出力する。そして、携帯端末１００は、Ａ機能画面とＢ機能画面の中間に“Ｈｏｍｅ  ｋｅｙ”入力に対応するメニュー画面を出力する。５２３画面で、ユーザは、メニュー画面に出力された多様な機能アイコンのうちの特定のア
イコン、例えば“Ｃ”機能アイコンを選択し、これをＡ機能画面上にドラッグ＆ドロップする入力信号を生成することができる。
【００５３】
すると、携帯端末１００は、５２５画面に示したように、“Ｃ”機能アイコンの移動によって“Ａ”機能画面を“Ｃ”機能画面に置換する。その後、ユーザが、分割領域（Ｓｐｌｉｔ  Ａｒｅａ）上で特定入力信号、即ち分割領域をタップ（Ｔａｐ）する入力信号を生成すると、携帯端末１００は、５２７画面に示したように、メニュー画面を除去し、リサイジングされて表示部１４１に出力される機能画面を、表示部１４１の分割領域に合うように変換して出力する。例えば、携帯端末１００は、５２５画面で選択された“Ｃ”機能アイコンによって５２７画面でＡｐｐ．Ｃ機能画面を出力することができる。この際、Ａｐｐ．Ｃ機能画面は、５２１画面でＡｐｐ．Ａ機能画面が出力された領域に合うように出力される。そして、５２５画面におけるＢ機能画面は、５２７画面で、メニュー画面を除去し、リサイジングされて分割領域に合うようにＡｐｐ．Ｂ機能画面を出力する。
【００５４】
次に、図１２を参照すると、携帯端末１００は、分割画面に出力された機能画面を、メニュー画面を通じて一時的に全て他の機能画面に変更することができる。これを更に詳しく説明すると、ユーザが図４で説明したような機能運用のための入力信号を生成すると、携帯端末１００は、５３１画面に示したように、選択された機能に対応する画面、即ちＡｐｐ．Ｅ機能画面とＡｐｐ．Ｈ機能画面を表示部１４１に画面を分割して出力する。
【００５５】
一方、ユーザは、多様な機能アイコンを含むメニュー画面を表示部１４１に表示することができる。このため、携帯端末１００は、特定キー、例えば“Ｈｏｍｅ  ｋｅｙ”を提供することができ、ユーザが“Ｈｏｍｅ  ｋｅｙ”を活性化すると、それに対応して５３３画面に示したように、表示部１４１の全体に少なくとも１つの機能アイコンを含むメニュー画面を表示する。この際、携帯端末１００は、上述したように、デュアルメニュー項目を表示部１４１に表示することができる。ここで、デュアルメニュー項目を携帯端末１００の設計者が任意に設計するか、又はユーザの設定によって生成及び消去することができる。このため、携帯端末１００は、デュアルメニュー項目設定のための機能及びユーザインターフェースを別途に提供することができる。
【００５６】
また、５３３画面に示したように、デュアルメニュー項目を含むアイコンが表示部１４１に出力された状態で、ユーザは、特定デュアルメニュー項目、例えば“ＡＢ”デュアルメニュー項目を選択するための入力信号を生成することができる。すると、携帯端末１００は、５３５画面に示したように、選択された“ＡＢ”デュアルメニュー項目に対応する出力、即ちＡｐｐ．Ａ機能画面とＡｐｐ．Ｂ機能画面を、分割された表示部１４１に出力する。この際、携帯端末１００は、５３３画面でユーザが特定デュアルメニュー項目を選択すると、５３５画面に示したように、選択されたデュアルメニュー項目に対応する機能画面を直接出力することができる。また、携帯端末１００は、５３３画面でユーザがデュアルメニュー項目を選択した後、特定入力信号、即ち当該メニュー項目に対応する機能画面を出力するように設定されたキー入力信号やタッチイベントを生成すると、５３５画面のような機能画面を出力することができる。
【００５７】
以上説明したように、携帯端末１００は、検索窓に設けられたアイコンを選択する入力信号、検索窓に設けられたアイコンを分割画面の特定領域に移動させる入力信号、分割画面を再調整してメニュー画面を出力し、メニュー画面で特定アイコンを選択する入力信号、分割画面状態で入力信号によってメニュー画面を出力し、デュアルメニュー項目を選択する入力信号のいずれかの入力信号の発生によって機能画面を移動することができる。
【００５８】
以上では、携帯端末１００の各構成と機能及び役割について説明した。また、分割画面の特性と、分割画面の置換について説明した。以下では、上述した携帯端末１００の分割画面を運用することができる多様なユーザインターフェース（ｉｎｔｅｒａｃｔｉｏｎ）について図面を参照して更に詳しく説明する。
【００５９】
図１３は、本発明の一実施形態によるユーザインターフェースの第１実施例を説明するための画面を示す図である。
【００６０】
図１３を参照すると、第１実施例のユーザインターフェースは、メッセージ作成窓に関連するユーザインターフェースである。ユーザメニューを活性化し、メニュー画面でメッセージ作成のための機能を選択するか、又はメッセージ作成のために割り当てられた特定キー入力を活性化することによって、メッセージ作成窓を表示部に表示することができる。特にユーザがフォンブック画面で特定ユーザ情報、例えば、携帯端末１００は、ユーザが“Ｙｕｎ”に登録されたユーザ情報を選択し、メッセージ作成のための機能を活性化すると、６０１画面のようなメッセージ作成窓を出力することができる。
【００６１】
一方、ユーザがメッセージ作成窓で特定領域、例えば追加機能（Ｍｏｒｅ  ｏｐｔｉｏｎ）選択のために割り当てられた領域６１をタッチすると、携帯端末１００は、６０３画面に示したように、追加機能を選択することができるオブション窓６３を表示部１４１の一側に表示する。オブション窓６３は、多数のサブメニュー項目、例えば“Ｆｉｌｅ、Ｎａｍｅｃａｒｄ、Ｃａｌｅｎｄａｒ、Ｔａｓｋ、Ｍｅｍｏ”などのように、メッセージ作成窓と関連する機能を有するサブメニュー項目を含むことができる。ユーザがオブション窓６３で“Ｆｉｌｅ”項目を選択すると、携帯端末１００は、表示部１４１上に“Ｆｉｌｅ”項目に対応するサブ項目を表示する。例えば、携帯端末１００は、“Ａｄｄ  ｍｕｌｔｉｍｅｄｉａ、Ａｄｄ  ｓｕｂｊｅｃｔ、Ａｄｄ  ａｔｔａｃｈｍｅｎｔ、Ｓａｖｅ  
ｉｎ、Ｒｅｃｉｐｉｅｎｔｓ、Ａｄｄ  ｔｅｘｔ、Ａｄｄ  Ｃｃ／Ｂｃｃ、Ｓｅｎｄｉｎｇ  Ｏｐｔｉｏｎｓ”のようなサブ項目を含むサブ項目窓６５を表示部１４１上に表示することができる。この際、携帯端末１００は、“Ｆｉｌｅ”項目のサブ項目窓６５をメッセージ作成窓にオーバレイさせて表示することができ、当該サブ項目窓６５をユーザが容易に確認することができるようにオブション窓６３と重複しない領域にサブ項目窓６５に含まれる当該項目を説明するテキストを表示することができる。
【００６２】
次に、ユーザが６０３画面でサブ項目窓６５の特定サブ項目、例えば“Ａｄｄ  Ａｔｔａｃｈｍｅｎｔ”項目を選択すると、携帯端末１００は、６０５画面に示したように、表示部１４１の全体画面を分割し、分割された領域にメッセージ作成窓と関連する第１機能画面６２とファイル添付と関連する第２機能画面６４を出力する。そして、ユーザが第２機能画面６４で“ｉｍａｇｅｓ”項目を選択する入力信号を生成すると、携帯端末１００は、６０７画面に示したように、当該フォルダに含まれる多様なファイルのリストを含むリスト画面６６を分割された画面に表示する。この際、携帯端末１００は、リスト画面６６を第２機能画面６４が出力された位置に表示することができる。そして、ユーザが特定ファイル、例えば、“Ｐｉｃｔｕｒｅ１．ｊｐｇ、Ｐｉｃｔｕｒｅ２．ｊｐｇ”を選択する入力信号を生成し、６０９画面に示したように、ファイル添付を指示する“Ａｄｄ”アイコンを選択する入力信号を生成すると、携帯端末１００は、６１１画面に示したように、選択されたファイルを含むメッセージ作成窓を表示部１４１の全体画面に表示する。この際、携帯端末１００は、選択されたファイルが添付されたことをユーザが認知することができるように、メッセージ作成窓の一定領域にファイル添付窓６７を表示することができる。ファイル添付窓６７には、選択されたファイルを指示する情報、例えば“Ｐｉｃｔｕｒｅ１．ｊｐｇ、Ｐｉｃｔｕｒｅ２．ｊｐｇ”を記入することができる。
【００６３】
図１４乃至図１６は、本発明の一実施形態によるユーザインターフェースの第２実施例を説明するための画面を示す図であり、機能画面領域間の情報移動に関するものである。
【００６４】
図１４を参照すると、ユーザは、２つのユーザ機能、例えば、Ｗｅｂ接続機能と音楽ファイル再生機能を携帯端末１００が提供するデュアルメニュー項目又は一般メニュー項目などを利用して連続的に又は同時に活性化することができる。携帯端末１００は、Ｗｅｂ接続機能を活性化すると、既定のサーバーアドレスを用いてＷｅｂ接続を行う。そして、Ｗｅｂ接続が完了すると、携帯端末１００は、７０１画面に示したように、当該サーバーアドレスが提供するＷｅｂ接続画面７２を、分割された表示部の一定領域に表示する。そして、携帯端末１００は、選択された音楽再生機能を活性化し、それに対応する音楽ファイル再生画面７３を、分割された表示部の所定領域に表示する。
【００６５】
一方、ユーザは、音楽ファイル再生画面７３で、例えば“ＡＢＢＡ”と記載したアーティスト情報を指定する入力信号を生成することができる。そして、ユーザが当該アーティスト情報を選択する入力信号、例えばダブルタップ（Ｄｏｕｂｌｅ  Ｔａｐ）を生成すると、携帯端末１００は、当該アーティスト情報を選択し、７０３画面に示したように、選択された情報をＷｅｂ接続画面７２の特定領域、例えば検索領域７２にドラッグ＆ドロップすると、７０５画面に示したように、選択された情報を検索領域７２上に表示する。
【００６６】
ここで、ユーザは、Ｗｅｂ接続画面７２の制御のための入力信号、例えば画面移動のための“Ｐａｎｎｉｎｇ”信号をＷｅｂ接続画面７２が表示された表示部上で生成することができる。すると、Ｗｅｂ接続画面７２が表示された表示部上に配置されたタッチパネルがそれに対応するタッチイベントを生成し、携帯端末１００の制御部１６０に伝達する。すると、携帯端末１００は、７０７画面に示したように、Ｗｅｂ接続画面７２を入力信号によって移動させて表示する。この状態で、ユーザがＷｅｂ接続画面７２の特定リンク項目、例えば“検索実行令”のための“Ｗｅｂ  ｓｅａｒｃｈ”項目を選択すると、携帯端末１００は、検索領域に入力されたアーティスト情報を用いてＷｅｂサーチを行い、その結果を、７０９画面に示したように、表示部１４１の一定領域、即ちＷｅｂ接続画面７２の領域に表示する。この際、携帯端末１００は、検索領域に入力されたアーティスト情報を含むメッセージをＷｅｂサーバーに伝送し、それに対応する検索情報を、無線周波数部１１０を介して受信した後、受信した情報を表示部１４１に出力する。
【００６７】
次に、図１５を参照すると、ユーザは、携帯端末１００が提供する電子メール確認機能を活性化することができる。すると、携帯端末１００は、電子メール確認機能の活性化の要求によって受信した電子メールリストを表示部１４１に表示し、特定電子メールが選択されると、７１１画面に示したように、表示部１４１の一定領域に当該電子メールの内容を出力する。そして、ユーザが地図表示機能の活性化を要求すると、携帯端末１００は、地図表示機能を活性化し、既定の地図情報を表示部１４１に表示する。この際、携帯端末１００は、電子メール確認機能に対応する電子メール機能画面７５と地図表示機能に対応する地図機能画面７６を、分割された表示部１４１の画面にそれぞれ出力する。ここで、携帯端末１００は、ユーザ制御によって電子メール機能画面７５と地図機能画面７６の大きさが異なって出力されるように調節することができる。即ち、ユーザがタッチパッド１２１を介して電子メール機能画面７５又は地図機能画面７６の大きさを調節するための入力信号を生成すると、携帯端末１００は、それに対応して各機能画面の大きさを調節する。
【００６８】
一方、電子メール機能画面７５で、ユーザは、特定情報を選択することができる。例えば、ユーザは、電子メール機能画面７５でアドレス情報７４を多様な入力方式によって選択することができる。即ち、ユーザは、アドレス情報７４が出力された領域をドラッグするか、又は携帯端末１００が当該アドレス情報７４を１つのブロックに設定した場合、当該ブロックが出力されたタッチスクリーン１４０の領域をタップ（Ｔａｐ）することによって、アドレス情報７４を選択することができる。そして、ユーザは、アドレス情報７４をドラッグし、地図機能画面７６上に移動させることができる。
【００６９】
すると、携帯端末１００は、７１３画面に示したように、ドラッグされて地図機能画面７６上に移動された情報によって地図詳細表示機能を活性化し、既定の縮尺で、アドレス情報７４が含まれた地図情報を地図機能画面７６上に出力する。このため、携帯端末１００は、電子メール機能画面７５で選択されたアドレス情報７４を検索語として判断し、アドレス情報７４が地図機能画面７６に移動すると、アドレス情報７４を基に地図詳細表示機能を活性化する。この際、携帯端末１００は、アドレス情報７４を含む地図領域を既定の縮尺に調整し、当該地図表示領域を地図機能画面７６上に出力する。ここで、上述した電子メール機能画面７５及び地図機能画面７６は、それぞれ入力部１２０からの入力信号、タッチスクリーン１４０からのタッチイベントによってその大きさが調整される。例えば、機能画面を区分する中央境界領域は、ユーザがタッチした後、一定の方向、例えば上下方向に移動させると、入力信号に応じて移動することができ、中央境界領域の移動によって各機能画面の大きさを変更することができる。機能画面の大きさの変更により、機能画面に追加情報を出力するか、又は以前に出力された機能画面の画面要素を除去するか、或いは現在出力された機能画面の大きさを変更して出力することもできる。
【００７０】
次に、図１６を参照すると、ユーザが電子メール機能の活性化を要求すると、携帯端末１００は、電子メール機能を活性化し、少なくとも１つの電子メール項目を含む電子メールリストを出力する。この状態で、ユーザが特定電子メール項目を選択すると、携帯端末１００は、７２１画面に示したように、選択された電子メール項目に含まれる内容を電子メール機能画面７５として表示部１４１に出力する。そして、ユーザが、電子メール機能が活性化された状態で、通話呼び出し機能を活性化するための入力信号を生成すると、携帯端末１００は、通話呼び出し機能を行うための電話番号入力画面７７を表示部１４１に出力する。
【００７１】
ここで、ユーザは、電子メール機能画面７５に含まれる特定情報、例えば電話番号情報７８を選択するための入力信号を生成することができる。即ち、ユーザは、電子メール機能画面７５上で電話番号情報７８が出力された領域をドラッグするか、又はタップ（Ｔａｐ）することによって、電話番号情報７８を選択することができる。そして、ユーザは、選択された電話番号情報７８を電話番号入力画面７７上にドラッグして移動させることができる。
【００７２】
すると、携帯端末１００は、７２３画面に示したように、ユーザが移動させた電話番号情報７８を電話番号入力画面７７の一側に出力する。そして、携帯端末１００は、電話番号情報７８を用いて電話の呼び出し機能を自動で行うか、又は別途の通話呼び出しのための入力信号が生成されると、電話の呼び出し機能を行う。
【００７３】
上述したように、携帯端末１００は、ユーザの要求によって、複数の機能画面を領域別に分割して表示部１４１に出力する。そして、携帯端末１００は、各機能画面上に出力された情報項目をユーザが選択できるようにし、選択された情報項目を他の機能画面上に移動し、選択された情報項目を用いて既定の機能を行う。図１５では、ユーザがアドレス情報７４を地図機能画面７６上に移動させる例を説明したが、ここで、携帯端末１００は、アドレス情報７４が格納部１５０に格納された地図上にマッチングしない場合、当該アドレス情報７４に対応する地域を探すことができないことを指示するメッセージを出力することができる。また、図１６では、ユーザが電話番号情報７８を電話番号入力画面７７上に移動させる例を説明したが、この過程で、ユーザが選択した電話番号情報７８が誤った情報である場合、例えば、特殊文字や特定文字又は電話の呼び出しが不可能な情報である場合、それに対応するメッセージを出力することができる。
【００７４】
図１７は、本発明の一実施形態によるユーザインターフェースの第３実施例を説明するための画面を示す図であり、機能画面領域間の情報のコピーと移動に関するものである。
【００７５】
図１７を参照すると、ユーザがＷｅｂ接続機能を活性化するための入力信号を生成すると、携帯端末１００は、Ｗｅｂ接続機能を活性化する。この際、携帯端末１００は、既定のアドレス又はユーザが入力したアドレスなどを用いて特定サーバーに接続し、当該サーバーが提供するＷｅｂ接続画面を８０１画面に示したように表示部１４１に出力する。そして、ユーザがメモ機能を活性化するための入力信号を生成すると、携帯端末１００は、表示部１４１の画面を分割し、分割された一方の領域にＷｅｂ接続画面８１を表示し、他の領域にメモ機能画面８２を表示することができる。
【００７６】
次に、メモ機能画面８２で、ユーザがメモ生成（Ｃｒｅａｔｅ）機能を利用するための入力信号を生成すると、携帯端末１００は、８０３画面に示したように、メモ生成画面８３を表示部１４１に出力する。このため、携帯端末１００は、メモ生成のためのメニュー項目を提供するか、又は８０１画面に示したように、メモ生成のためのアイコンをメモ機能画面８２の一側に出力することができる。
【００７７】
次に、８０５画面に示したように、メモ生成画面８３で、ユーザが、Ｗｅｂ接続画面８１に表示されている特定情報項目を選択する入力信号を生成し、選択された情報項目をメモ生成画面８３に移動させると、携帯端末１００は、８０７画面に示したように、選択された情報項目をメモ生成画面８３上に表示する。ここで、ユーザは、Ｗｅｂ接続画面８１上でタッチドラッグイベントを生成することによって、特定情報を選択することができる。
【００７８】
携帯端末１００は、８０７画面に示したように、ユーザがメモ生成画面８３の色を選択することができるように色選択バー８５を表示することができる。ユーザが色選択バー８５に含まれる特定色を選択するタップ（Ｔａｐ）信号を生成すると、携帯端末１００は、８０９画面のように、選択された色をメモ生成画面８３に適用する。その後、ユーザがメモ生成画面８３に出力された格納（Ｓａｖｅ）アイコンを選択すると、携帯端末１００は、８１１画面に示したように、メモ機能画面８２へ復帰する。この際、携帯端末１００は、メモ生成機能によって生成された新しいメモ８６を含むメモ機能画面８２を出力することができる。
【００７９】
図１８は、本発明の一実施形態によるユーザインターフェースの第４実施例を説明するための画面を示す図であり、機能画面領域間のファイル移動に関するものである。
【００８０】
図１８を参照すると、ユーザがファイル検索機能を活性化するための入力信号を生成すると、携帯端末１００は、それに対応して第１ファイル検索画面９１を、９０１画面に示したように表示部１４１に表示する。そして、ユーザが更に他のファイル検索機能を活性化するための入力信号を生成すると、携帯端末１００は、表示部１４１の画面を分割し、以前に行われたファイル検索機能に対応する第１ファイル検索画面９１と他のファイル検索機能に対応する第２ファイル検索画面９２を、分割された領域にそれぞれ表示する。
【００８１】
ユーザが第２ファイル検索画面９２で“Ｉｍａｇｅｓ”項目を選択すると、携帯端末１００は、９０３画面に示したように、選択された項目のサブ項目、例えば“Ｕｓｅｒ  Ｆｏｌｄｅｒ  １、Ｕｓｅｒ  Ｆｏｌｄｅｒ  ２、Ｐｉｃｔｕｒｅ１．ｊｐｇ、Ｐｉｃｔｕｒｅ２．ｊｐｇ、Ｐｉｃｔｕｒｅ３．ｊｐｇ”を含む第１リスト画面９３を表示する。第１リスト画面９３で、ユーザが“Ｕｓｅｒ  Ｆｏｌｄｅｒ  １”フォルダ項目を選択すると、携帯端末１００は、９０５画面に示したように、“Ｕｓｅｒ  Ｆｏｌｄｅｒ  １”フォルダ項目に含まれるサブ項目を含む第２リスト画面９４を出力する。ここで、第２リスト画面９４は、“Ｕｓｅｒ  Ｆｏｌｄｅｒ  １”フォルダ項目に含まれるサブ項目、即ち“Ｆａｔｈｅｒ．ｊｐｇ、Ｋａｔｈｙ．ｊｐｇ、Ｓｅａ．ｊｐｇ、Ｆｅｄ  Ｆｌｏｗｅｒ．ｊｐｇ、Ｃｕｔｅ．ｊｐｇ”項目を含む。一方、ユーザは、第２リスト画面９４に出力されたサブ項目のうちの特定項目を第１ファイル検索画面９１の特定フォルダ、例えば“Ｆａｍｉｌｙ”項目に移動させるための入力信号を生成することができる。例えば、ユーザは、第２リスト画面９４で“Ｆａｔｈｅｒ．ｊｐｇ”項目を選択する入力信号を生成し、当該項目が選択されると、ドラッグし、第１ファイル検索画面９１の“Ｆａｍｉｌｙ”項目が割り当てられた領域上に移動させることができる。すると、携帯端末１００は、選択された“Ｆａｔｈｅｒ．ｊｐｇ”項目を第１リスト画面９３上に出力された“Ｕｓｅｒ  Ｆｏｌｄｅｒ  １”フォルダから第１ファイル検索画面９１に出力された“Ｆａｍｉｌｙ”フォルダに移動させることができる。そして、携帯端末１００は、移動された“Ｆａｔｈｅｒ．ｊｐｇ”項目を第２リスト画面９４、即ち“Ｕｓｅｒ  Ｆｏｌｄｅｒ  １”フォルダから除去する。
【００８２】
図１９は、本発明の一実施形態によるユーザインターフェースの第５実施例を説明するための画面を示す図であり、Ｗｅｂ接続機能を支援する機能画面領域間の連動に関するものである。
【００８３】
図１９を参照すると、ユーザがＷｅｂ接続機能を活性化するための入力信号を生成すると、携帯端末１００は、既定のアドレス又はユーザが入力したアドレスを用いてＷｅｂサーバーに接続し、Ｗｅｂサーバーにより提供される情報を出力するためのＷｅｂ接続画面を表示部１４１に表示する。そして、ユーザが“Ｔｗｉｔｔｅｒ”機能を活性化するための入力信号を生成すると、携帯端末１００は、ツイッター機能の支援のためのツイッターサーバーに接続し、ツイッターサーバーにより提供された接続画面を受信して表示部１４１に表示する。これにより、携帯端末１００は、１００１画面に示したように、Ｗｅｂ接続画面１０１とツイッター機能画面１０２を、分割された領域を有する表示部１４１上にそれぞれ出力する。
【００８４】
その後、ユーザは、Ｗｅｂ接続画面１０１上で多様なタッチイベント、例えばタップ（Ｔａｐ）機能を利用してニュース検索を行うことができる。ユーザが特定ニュース、例えば“Ｈｅａｌｔｈ  ｃａｒｅ”に関するニュースを選択すると、携帯端末１００は、当該リンク情報をサーバーに伝送し、サーバーから当該“Ｈｅａｌｔｈ  ｃａｒｅ”と関連した情報を受信し、受信した情報を１００３画面に示したようにＷｅｂ接続画面１０１に出力する。
【００８５】
ユーザが１００５画面に示したようにツイッター機能画面１０２でアップデート領域１０３を選択すると、携帯端末１００は、当該アップデート領域１０３に情報入力のための機能を提供することができる。即ち、ユーザは、入力部１２０を利用して１００７画面に示したようにアップデート領域１０３に特定文字入力、例えば“Ｈｅａｌｔｈ  ｃａｒｅ  ｙａｈｏｅ  ｎｅｗｓ  ｉｓ  ｈｅｒｅ！”に該当する文字入力を行うことができる。そして、ユーザは、Ｗｅｂ接続画面１０１に出力された特定情報、例えばＵＲＬアドレス情報１０４を選択するための入力信号、例えば“Ｄｏｕｂｌｅ  Ｔａｐ”のような入力信号を生成することができる。そして、ユーザは、１００９画面に示したように、選択されたＵＲＬアドレス情報１０４をドラッグし、ツイッター機能画面１０２のアップデート領域１０３に入力することができる。
【００８６】
すると、携帯端末１００は、１０１１画面に示したように、１００５画面でユーザが入力した文字情報と１００９画面でユーザが選択したＵＲＬアドレス情報１０４の両方を、アップデート領域１０３に適用して出力する。そして、ユーザが入力した情報をツイッターサーバーにアップロードするための入力信号を生成すると、携帯端末１００は、入力された情報をアップロードする。
【００８７】
図１９で、Ｗｅｂ接続画面から得られた情報はツイッター機能画面１０２に適用される。一方、以下の図２０で説明するように、ツイッター機能画面１０２の情報をＷｅｂ接続画面１０１に適用することも可能である。
【００８８】
図２０を参照すると、ユーザがＷｅｂ接続機能とツイッター機能を活性化すると、携帯端末１００は、１１０１画面に示したように、ツイッター機能画面１０２とＷｅｂ接続画面１０１をそれぞれ分割された領域を有する表示部１４１に出力する。
【００８９】
そして、ユーザがツイッター機能画面１０２上で特定情報を選択するタッチイベントを生成すると、例えば特定ＵＲＬアドレス情報１０４を選択する入力信号を生成すると、携帯端末１００は、１１０３画面に示したように、選択されたＵＲＬアドレス情報１０４によってＷｅｂ接続画面１０１にＷｅｂサーバーから受信したＷｅｂデータを表示する。
【００９０】
図２１は、本発明の一実施形態によるユーザインターフェースの第６実施例を説明するための画面を示す図であり、ファイル検索機能とツイッター機能との間のインターフェース（ｉｎｔｅｒａｃｔｉｏｎ）に関するものである。
【００９１】
図２１を参照すると、ユーザがファイル検索機能を選択するための入力信号を生成すると、携帯端末１００は、ファイル検索機能に対応するファイル検索機能画面１２１１を表示部１４１に表示する。また、ユーザがツイッター機能を活性化するための入力信号を生成すると、携帯端末１００は、ツイッター機能の活性化によって既定のツイッターサーバーに接続し、ツイッターサーバーにより提供される出力データのためのツイッター機能画面１２１３を表示部１４１に表示する。これにより、携帯端末１００は、１２０１画面に示したように、ファイル検索機能画面１２１１とツイッター機能画面１２１３をそれぞれ分割された領域を有する表示部１４１に出力する。
【００９２】
一方、ユーザがファイル検索機能画面１２１１で特定フォルダ、例えば“ｉｍａｇｅｓ”フォルダを選択する入力信号を生成すると、携帯端末１００は、１２０３画面に示したように、“ｉｍａｇｅｓ”フォルダに含まれているサブ項目、例えば“Ｆａｔｈｅｒ．ｊｐｇ”、“ｋａｔｈｙ．ｊｐｇ”、“Ｓｅａ．ｊｐｇ”、“Ｒｅｄ  ｆｌｏｗｅｒ．ｊｐｇ”、“ｃｕｔｅ．ｊｐｇ”サブ項目を含むリスト画面１２１５を表示部１４１に出力する。ここで、ユーザが特定サブ項目、例えば“Ｆａｔｈｅｒ．ｊｐｇ”項目を選択し、ツイッター機能画面１２１３のアップロード領域１２１６上にドラッグして移動させる入力信号を生成すると、携帯端末１００は、１２０５画面に示したように、“Ｆａｔｈｅｒ．ｊｐｇ”項目をツイッター機能画面１２１３のアップロード領域１２１６に入力する。ここで、携帯端末１００は、アップロード領域１２１６に入力されたファイル情報、即ち“Ｆａｔｈｅｒ．ｊｐｇ”を出力することによって、どのファイルがアップロードされるかをユーザに認識させることができる。
【００９３】
その後、ツイーターサーバーからの送信要求に応答して、携帯端末１００は、ツイッターサーバーにアップロードファイルを伝送する。
【００９４】
図２２は、本発明の一実施形態によるユーザインターフェースの第７実施例を説明するための画面を示す図であり、分割画面領域でのツイッター機能に関するものである。
【００９５】
図２２を参照すると、ユーザがツイッター機能を活性化するための入力信号を生成すると、携帯端末１００は、既定のツイッターアドレスを用いてツイッターサーバーに接続し、ツイッターサーバーにより提供される出力データのためのツイッター機能画面３０１を表示部１４１に出力する。ツイッター機能画面３０１は、ツイッターサーバーに登録されたメッセージをリスト形態で含むことができる。ここで、携帯端末１００は、ユーザがツイッター機能を利用することができるように、ツイッター機能を活性化するための入力信号を生成するためのアイコン又は特定キーを含むメニューを提供することができる。
【００９６】
携帯端末１００は、１３０１画面に示したように、分割画面を構成するための“Ｓｐｌｉｔｔｅｒ”アイコンを画面の一側に出力することができる。ユーザがＳｐｌｉｔｔｅｒアイコンを選択するための入力信号、例えば当該アイコンをタップ（Ｔａｐ）する入力信号を生成すると、携帯端末１００は、１３０３画面に示したように、画面を分割し、分割された領域にそれぞれツイッター機能に対応する第１ツイッター機能画面３０２と第２ツイッター機能画面３０３を表示する。ここで、第１ツイッター機能画面３０２は、１３０１画面で出力されたツイッター機能画面３０１を、画面分割によって縮小された領域に合うようにリサイジングした画面になる。そして、第２ツイッター機能画面３０３は、第１ツイッター機能画面３０２のうち、デフォルトとして選択された特定メッセージ項目又はユーザが選択した特定メッセージ項目の詳細情報表示画面になる。これにより、ユーザが１３０３画面で第１ツイッター機能画面３０２の他のメッセージ項目を選択するための入力信号を生成すると、携帯端末１００は、１３０５画面に示したように、選択された他のメッセージ項目の詳細情報を第２ツイッター機能画面３０３に出力する。
【００９７】
１３０５画面に示したように、ユーザが、例えば第１ツイッター機能画面３０２の領域に表示された“削除（Ｄｅｌｅｔｅ）”アイコンを選択することにより、選択されたメッセージ項目を削除するための入力信号を生成すると、携帯端末１００は、選択されたメッセージ項目を削除し、選択されたメッセージ項目を削除することにより第１ツイッター機能画面３０２を更新する。
【００９８】
１３０７画面に示したように、携帯端末１００は、全体画面表示へ復帰するための“Ｍｅｒｇｅ”アイコンを表示部１４１の所定領域に出力することができる。ユーザが“Ｍｅｒｇｅ”アイコンを選択するための入力信号を生成すると、携帯端末１００は、１３０９画面に示したように、分割された画面を除去し、第１ツイッター機能画面３０２をツイッター機能画面３０１に拡大して出力する。ここで、拡大出力は、第１ツイッター機能画面３０２に出力されるイメージ、テキストなどの大きさを拡大するだけでなく、第１ツイッター機能画面３０２に出力しなかったイメージ、テキストなどを追加して出力することができる。
【００９９】
以上説明したように、本発明の多様な実施例による携帯端末１００の分割画面の運用は、ユーザが生成する入力信号によってユーザ機能が活性化されると、ユーザ機能の特性、以前のユーザ機能と新しいユーザ機能との連携性、画面分割を要請する入力信号などによって画面を分割し、分割された各画面に第１機能画面及び第２機能画面を含む機能画面を出力することができる。
【０１００】
上述した携帯端末１００の分割画面の運用方法及び装置として、いくつかのユーザインターフェースについて説明したが、本発明はこれに限定されるものではなく、端末設計者の運用によって多様なユーザインターフェースに対してユーザ機能別に自動分割画面出力と全体画面への復帰機能を支援することができる。
【０１０１】
上述した携帯端末１００は、その提供形態として、近距離通信のための近距離通信モジュール、被写体の静止画像／動画像を撮影するためのカメラモジュール、携帯端末１００の有線通信方式又は無線通信方式によるデータ送受信のためのインターフェース、インターネットネットワークと通信してインターネット機能を行うインターネット通信モジュール及びデジタル放送受信と再生機能を行うデジタル放送モジュールなどのように、上記で言及しない構成を含むこともできる。このような構成要素は、デジタル機器の機能統合（ｃｏｎｖｅｒｇｅｎｃｅ）傾向によって変形が非常に多様なので、全て列挙することはできないが、言及した構成要素と同等な水準の構成要素がデバイスに追加されて更に含まれて構成され得る。また、本実施形態による携帯端末１００は、その提供形態によって上記構成から特定構成が除外されるか、又は他の構成に代替させることもできることは勿論である。これは、本技術分野における通常の知識を有する者にとって容易に理解されることである。
【０１０２】
また、本発明の実施形態による携帯端末１００は、タッチ面積の変化率を追跡し、それによる機能属性の変化を支援する全ての形態のデバイスを含むことができる。例えば、携帯端末１００は、多様な通信システムに対応する通信プロトコル（ｃｏｍｍｕｎｉｃａｔｉｏｎ  ｐｒｏｔｏｃｏｌｓ）に基づいて動作する全ての移動通信端末（ｍｏｂｉｌｅ  ｃｏｍｍｕｎｉｃａｔｉｏｎ  ｔｅｒｍｉｎａｌｓ）を含め、ＰＭＰ（Ｐｏｒｔａｂｌｅ  Ｍｕｌｔｉｍｅｄｉａ  Ｐｌａｙｅｒ）、デジタル放送プレーヤー、ＰＤＡ（Ｐｅｒｓｏｎａｌ  Ｄｉｇｉｔａｌ  Ａｓｓｉｓｔａｎｔ）、音楽再生機（例えば、ＭＰ３プレーヤー）、携帯ゲーム端末、スマートフォン（Ｓｍａｒｔ  Ｐｈｏｎｅ）、ノートパソコン（Ｎｏｔｅｂｏｏｋ）、及びハンドヘルドパソコンなどの全ての情報通信機器とマルチメ
ディア機器及びそれに対する応用機器を含むことができる。
【０１０３】
以上、本発明の実施形態を詳細に説明したが、これらの実施形態は、例示的なものであって限定的なものではない。このように本発明の属する技術分野における通常の知識を有する者であれば、本発明の思想と添付の特許請求範囲で定義された権利範囲を逸脱しない範囲内で均等論によって多様な変化と修正を加えることができる。
【符号の説明】
【０１０４】
１００    携帯端末
１１０    無線周波数部
１２０    入力部
１２１    タッチパッド
１２３    キーボタン
１３０    オーディオ処理部
１４０    タッチスクリーン
１４１    表示部
１４３    タッチパネル
１５０    格納部
１６０    制御部
【図１】
0005974068.tif 000002
【図２】
0005974068.tif 000003
【図３】
0005974068.tif 000004
【図４】
0005974068.tif 000005
【図５】
0005974068.tif 000006
【図６】
0005974068.tif 000007
【図７】
0005974068.tif 000008
【図８】
0005974068.tif 000009
【図９】
0005974068.tif 000010
【図１０】
0005974068.tif 000011
【図１１】
0005974068.tif 000012
【図１２】
0005974068.tif 000013
【図１３】
0005974068.tif 000014
【図１４】
0005974068.tif 000015
【図１５】
0005974068.tif 000016
【図１６】
0005974068.tif 000017
【図１７】
0005974068.tif 000018
【図１８】
0005974068.tif 000019
【図１９】
0005974068.tif 000020
【図２０】
0005974068.tif 000021
【図２１】
0005974068.tif 000022
【図２２】
0005974068.tif 000023